(57)【要約】【課題】建物内の室内壁面だけでなく、建物の外面を構成する外壁面をも、ブロック体２の積重ね連結という簡単な作業によって組み立てることができ、十分な壁面強度も確保する。【解決手段】基礎材４に配置される複数のベース部材１とベース部材１上に積み重ねられる複数のブロック体２とから構成され、それぞれに互いに嵌り合う形状の凹部６または凸部５と、積み重ね状態で補強芯材８を挿通できる貫通孔７とを形成したものを基本素材とし、その中から所要のベース部材１とブロック体２を選択し、上記基礎材４上に配置されたベース部材１上に複数のブロック体２を上記凹部６と凸部５とを嵌合させて積み重ね、上記貫通孔７に補強芯材８を挿通して組み立てる。【選択図】図１
2006009324.tif 000002
【特許請求の範囲】
【請求項１】
基礎材に配置される複数のべース部材とベース部材上に積み重ねられる複数のブロック体とから構成され、それぞれに互いに嵌り合う形状の凹部または凸部と、積み重ね状態で補強芯材を挿通できる貫通孔とを形成したものを基本素材とし、その中から所要のベース部材とブロック体を選択し、上記基礎材上に配置されたベース部材上に複数のブロック体を上記凹部と凸部とを嵌合させて積み重ね、上記貫通孔に補強芯材を挿通して組み立てることを特徴とする壁面組立システム。
【請求項２】
基礎材に配置される複数のべース部材と、ベース部材上に積み重ねられる複数のブロック体と、上下のブロック体を連結する複数のジョイント部材とから構成され、それぞれに互いに嵌り合う形状の凹部または凸部と、積み重ね状態で補強芯材を挿通できる貫通孔とを形成したものを基本素材とし、その中から所要のベース部材とブロック体とジョイント部材を選択し、上記基礎材上に配置されたベース部材上に複数のブロック体を上記ジョイント部材を介して上記凹部と凸部とを嵌合させて積み重ね、上記貫通孔に補強芯材を挿通して組み立てることを特徴とする壁面組立システム。
【請求項３】
基礎材に配置される複数のべース部材と、ベース部材上に積み重ねられる複数のブロック体と、上下のブロック体を連結する複数のジョイント部材とから構成され、それぞれに積み重ね状態で補強芯材を挿通できる貫通孔を形成したものを基本素材とし、その中から所要のベース部材とブロック体とジョイント部材を選択し、上記基礎材上に補強芯材を立設し、補強芯材に上記べース部材、ブロック体及びジョイント部材の中から選択したベース部材とジョイント部材とブロック体とを順次に挿通して積み重ねて固定することを特徴とする壁面組立システム。
【請求項４】
前記ジョイント部材には、前記ブロックによる壁面の外側に配置される仕上げ材を保持する保持部が形成されている、請求項２又は３に記載の壁面組立システム。
【請求項５】
基礎材に配置される複数のべース部材と、ベース部材上に積み重ねられる複数のブロック体と、上下のブロック体を連結する複数のジョイント部材とから構成され、上記ベース部材、ブロック体およびジョイント部材にはそれぞれ積み重ね状態で補強芯材を挿通できる貫通孔を形成するとともに、
上記基礎材上に補強芯材を立設した後、補強芯材に上記べース部材、ブロック体及びジョイント部材の中から選択したベース部材とジョイント部材とブロック体とを順次に挿通して積み重ねて固定することを特徴とする壁面組立方法。
【請求項６】
基礎材に配置される複数のべース部材と、ベース部材上に積み重ねられる複数のブロック体と、上下のブロック体を連結する複数のジョイント部材とから構成され、上記ベース部材、ブロック体およびジョイント部材にはそれぞれ積み重ね状態で補強芯材を挿通できる貫通孔を形成し、上記ジョイント部材には、前記ブロックによる壁面の外側に突出する保持部を形成するとともに、
上記基礎材上に補強芯材を立設した後、補強芯材に上記べース部材、ブロック体及びジョイント部材の中から選択したベース部材とジョイント部材とブロック体とを順次に挿通して積み重ねるとともに、上記ジョイント部材の保持部には仕上げ材を保持させることを特徴とする壁面組立方法。
【発明の詳細な説明】
【技術分野】
【０００１】
本発明は、建物の外壁面や室内の内壁面を多数のブロックを積み重ね連結することにより組み立てる壁面組立システムおよび壁面組立方法に関するものである。
【背景技術】
【０００２】
一般に、住居の設計は間取りからスタートするという考え方が主流であり、間取りのための構造体と、構造体によって形成された空間に収められる家具とは分離して考えられており、製造や流通市場においても建材と建具とは独立して存在している。
【０００３】
ところが、内部に住む人の数や利用の態様などにおいて、生活のスタイルは変わっていく。典型的なパターンとしては、結婚により住宅を購入した場合の二人暮し、子供ができた場合の家族生活、子供たちが独立した場合の老夫婦だけの生活などがあげられるが、それぞれにおいて生活スタイルは一様ではない。したがって、各ライフステージに応じてそのときどきにふさわしい間仕切りや家具が変更されるべきである。
【０００４】
このような要請に対応するため、各種形状のブロック体を組み合わせて嵌合連結することにより、大規模な大工工事を伴うことなく、間仕切り材、家具、壁面、電気器具ボックスなどの内装部材を容易に組み立てる組立システムが提案されている。このブロック体による組立システムは、多数のブロック体を積み上げることにより内装部材を組み立てる方式で、上下のブロック体間を粘着材によって固定するものであるから、組立が容易である。これにより、外壁などの変更できない基本の構造体を除き、日常の生活空間を、年齢に応じた生活スタイルの変化や家族の増減などに対応して、熟練者でなくても、自由かつ容易に内部スペースを変更し、リフォームしたりすることができる。また、ブロック体間は粘着材による固定なので、粘着材を剥がして小さなブロック体に分解することも容易なので、廃棄処分も楽に行なうことができる。
【特許文献１】特開平１１−３３２６８２号公報
【発明の開示】
【発明が解決しようとする課題】
【０００５】
しかしながら、上述のブロック体による内装部材組立方法では、主に上下のブロック体を粘着材を介して固定するものであるから、間仕切りや家具などの室内に内装される部材については十分な強度が得られるが、建物の構造壁、例えば外壁を構成するには強度が不足する。このため、ブロック体による構造壁は不可能と考えられていた。
【０００６】
本発明は上記問題点を解消し、上記内装部材の組立システムの考え方をさらに発展させ、建物内の室内壁面だけでなく、建物の外面を構成する外壁面をも、ブロック体の積重ね連結という簡単な作業によって組み立てることができ、十分な壁面強度も確保することができる壁面組立システムおよび壁面組立方法を提供することをその課題とする。
【課題を解決するための手段】
【０００７】
前記課題を解決するため、請求項１に係る壁面組立システムは、基礎材に配置される複数のべース部材とベース部材上に積み重ねられる複数のブロック体とから構成され、それぞれに互いに嵌り合う形状の凹部または凸部と、積み重ね状態で補強芯材を挿通できる貫通孔とを形成したものを基本素材とし、その中から所要のベース部材とブロック体を選択し、上記基礎材上に配置されたベース部材上に複数のブロック体を上記凹部と凸部とを嵌合させて積み重ね、上記貫通孔に補強芯材を挿通して組み立てることを特徴とする。
【０００８】
請求項２に係る壁面組立システムは、基礎材に配置される複数のべース部材と、ベース部材上に積み重ねられる複数のブロック体と、上下のブロック体を連結する複数のジョイント部材とから構成され、それぞれに互いに嵌り合う形状の凹部または凸部と、積み重ね状態で補強芯材を挿通できる貫通孔とを形成したものを基本素材とし、その中から所要のベース部材とブロック体とジョイント部材を選択し、上記基礎材上に配置されたベース部材上に複数のブロック体を上記ジョイント部材を介して上記凹部と凸部とを嵌合させて積み重ね、上記貫通孔に補強芯材を挿通して組み立てることを特徴とする。
【０００９】
請求項３に係る壁面組立システムは、基礎材に配置される複数のべース部材と、ベース部材上に積み重ねられる複数のブロック体と、上下のブロック体を連結する複数のジョイント部材とから構成され、それぞれに積み重ね状態で補強芯材を挿通できる貫通孔を形成したものを基本素材とし、その中から所要のベース部材とブロック体とジョイント部材を選択し、上記基礎材上に補強芯材を立設し、補強芯材に上記べース部材、ブロック体及びジョイント部材の中から選択したベース部材とジョイント部材とブロック体とを順次に挿通して積み重ねて固定することを特徴とする。
【００１０】
請求項４に係る壁面組立システムは、前記ジョイント部材に、前記ブロックによる壁面の外側に配置される仕上げ材を保持する保持部が形成されていることを特徴とする。
【００１１】
請求項５に係る壁面組立方法は、基礎材に配置される複数のべース部材と、ベース部材上に積み重ねられる複数のブロック体と、上下のブロック体を連結する複数のジョイント部材とから構成され、上記ベース部材、ブロック体およびジョイント部材にはそれぞれ積み重ね状態で補強芯材を挿通できる貫通孔を形成するとともに、上記基礎材上に補強芯材を立設した後、補強芯材に上記べース部材、ブロック体及びジョイント部材の中から選択したベース部材とジョイント部材とブロック体とを順次に挿通して積み重ねて固定することを特徴とする。
【００１２】
請求項６に係る壁面組立方法は、基礎材に配置される複数のべース部材と、ベース部材上に積み重ねられる複数のブロック体と、上下のブロック体を連結する複数のジョイント部材とから構成され、上記ベース部材、ブロック体およびジョイント部材にはそれぞれ積み重ね状態で補強芯材を挿通できる貫通孔を形成し、上記ジョイント部材には、前記ブロックによる壁面の外側に突出する保持部を形成するとともに、上記基礎材上に補強芯材を立設した後、補強芯材に上記べース部材、ブロック体及びジョイント部材の中から選択したベース部材とジョイント部材とブロック体とを順次に挿通して積み重ねるとともに、上記ジョイント部材の保持部には仕上げ材を保持させることを特徴とする。
【発明の効果】
【００１３】
請求項１に係る発明によれば、ブロック体の積重ね連結という簡単な作業によって建物の構造壁を組み立てることができ、しかも上下段のブロック体を積み重ね嵌合して水平方向におけるずれを防止するとともに、全体が補強芯材によって支持されるとともに、補強芯材の上端にパッキンを介してナットを締め付けてブロック体全体を固定する構成であるから、ブロック体は締め付け力に基づく上からの押圧力によって一体に結合されて壁面の倒れを防止することができる。したがって、十分な壁面強度を確保することができる。
【００１４】
なお、ブロック体同士を粘着材によって結合したときは、互いに剥がして分離することができるので、上記ナットを外し、ブロック体を剥がして分解することにより全体をコンパクトにすることができ、廃棄処分も楽に行なうことができる。
【００１５】
請求項２に係る発明によれば、特に、ベース部材とブロック体および上下のブロック体間にジョイント部材を介装する構成であり、ジョイント部材は薄肉であるが強度の高い金属材によって形成することができるので、その補強効果により壁全体の強度を上げることができる。
【００１６】
請求項３または請求項５に係る発明によれば、上下段のブロック体には補強芯材が挿通され、また、補強芯材の上端にパッキンを介してナットを締め付けてブロック体全体を固定する構成であるから、ブロック体は締め付け力に基づく上からの押圧力によって強固に連結され、十分に強い強度で固定される。
【００１７】
請求項４または請求項６に係る発明によれば、同じ段に保持部付きジョイント部材を配置したときに、水平方向に連続した保持部が形成されるから、この保持部にサイディングやレンガブロックなどの仕上げ材を嵌合保持させて外装または内装仕上げをすることができる。
【発明を実施するための最良の形態】
【００１８】
建物内の室内壁面だけでなく、建物の外面を構成する外壁面をも、ブロック体の積重ね連結という簡単な作業によって組み立てでき、十分な壁面強度も確保するという目的を、基礎材に複数のべース部材を配置し、ベース部材上に複数のブロック体を嵌合状態で積み重ねるとともに、ベース部材とブロック体およびブロック体同士をジョイント部材を介して積み重ね連結するとともに、上下のブロック体に共通の補強芯材を挿通して固定することによって実現した。
【実施例１】
【００１９】
図１は、本発明に係る壁面組立システムとその組立方法を示す１実施例であり、本システムはベース部材１とブロック体２とを基本素材として構成されている。
【００２０】
ベース部材１は設置地面や躯体基礎や床面などの基礎材４に上に基盤材として配置される部材であり、ブロック体２はベース部材１上に積み重ねられる部材である。両部材ともに平面視において同じ大きさで、それぞれ互いに嵌り合う形状になっているとともに、積み重ね状態で補強芯材を挿通できるように形成されている。
【００２１】
すなわち、図２に示されるように、ベース部材１の上部には複数の円形状の凸部５が形成されている。各ブロック体２の下面には、上記凸部５と同じ位置に、凸部５と嵌まり合う形状の凹部６が形成され、また上面には上記凹部６に嵌まり合う大きさの凸部５が形成されている。そして、ベース部材１とブロック体２には共通の貫通孔７が形成されている。貫通孔７はベース部材１とブロック体２とを積み重ねた状態で上下の貫通孔７が整合して共通の補強芯材８を挿通できるようになっている。貫通孔７は上記各凸部５と凹部６の位置に、補強芯材８がきつくならない程度に嵌合する大きさに形成されている。
【００２２】
なお、ブロック体２としては、アルミニウム、鉄などの金属材、塩化ビニール、ＰＥＴ（ポリエチレンテレフタレート）などの合成樹脂材、木材、集成材、紙による圧縮成形体などが適する。どれを使うかは、建物の外壁を組み立てる場合と室内側に設けられる内壁を組み立てる場合に応じて適宜選択すればよい。例えば、外壁に使用するブロック体２としては、耐水性や耐候性の高い素材、アルミニウム等の金属、プラスチックス、木材などを選択することが望ましい。
【００２３】
上記ベース部材１とブロック体２は、形、大きさ、厚みなどを一定のモジュールで成形するのが好ましい。
【００２４】
上記基本素材からなる組立システムによって建物の外壁を組み立てるときは、まず上記基本素材の中から所要のベース部材１とブロック体２を選択する。そして、上記基礎材４上に補強芯材８を立設する。補強芯材８としては通常は鉄筋を選択すればよく、その先端にはネジ部１０が形成されている。また、補強芯材８間の間隔はブロック体２に設けられた貫通孔７の間隔の整数倍とする。そして、補強芯材８に上記ベース部材１とブロック体２の中から選択したベース部材１とブロック体２とを順次に挿通して積み重ねていく。このとき、最下段のベース部材１の凸部５とその上のブロック体２の下面の凹部６とが嵌まり合い、下段のブロック体２の上面の凸部５とその上段のブロック体２の凹部６とが嵌まり合う。このように、上下段のブロック体２は凹部６と凸部５の嵌合により自動的に位置決めされるため、ブロック体２の積層によって構成された壁面は面一となり、水平方向に位置ずれが生じることはない。また、最下段のベース部材１とその上のブロック体２との間および上段と下段のブロック体２の間には、それぞれ粘着材９を介装し、上下の段のブロック体２の結合をより強固にするのが好ましい。粘着材９はブロック体２の上下面に層成しておけばよい。図３に示されるように、多数のブロック体２を積み上げた後、最後に、補強芯材８の上端にパッキン１１を通し、その上からナット１２を締め付けて全体を固定すればよい。図４は外壁の完成図である。
【００２５】
粘着材９は滑り止め、ブロック体２の接合強度の確保、防水、遮音などの機能を有するとともに、粘着によって連結された２つのブロック体２を簡単な道具で分離できる程度の強さの物質とする。
【００２６】
なお、ブロック体２の積み上げ方式としては、レンガ積みでも、いも積みでもよい。このため、各ブロック体２の凸部５又は凹部６間の間隔は隣り合うブロック体２の両端の凸部５又は凹部６間の間隔と等しくなるように設定されている。
【００２７】
外壁として構成する場合、図５のように、各縦目地部に防水処理をする。簡便な方法としては防水テープ１３で縦目地部を塞ぐ。横目地は粘着材９が水密機能を有するものを使用すればよい。
【００２８】
なお、外壁の外面には図６のように外装サイディング１４を装着することもできるが、図７のようにブロック体２の積み重ね時に開口部１５を設けるように積み重ね、開口部１５をもった壁面とすることもできる。必要に応じて開口部内周面に仕上げ材１６を取り付ければよい。開口部１５の上縁の上部と下縁の下部のブロック体２にはそれぞれ別個の補強芯材８を挿通する。なお、開口部１５の上縁より上方の補強芯材８の下端には適宜の抜け止めを形成すればよい。
【００２９】
また、補強芯材８はブロック体２の積み重ね連結後に挿通してもよい。この場合、補強芯材８の下端はねじ込み等により基礎材４に固定すればよい。
【００３０】
次に、上記組立システムにより、室内の間仕切りとして壁面を組み立てるときも、図８に示されるように、同じ要領で、多数のブロック体２の中から所要数のブロック体２を選択し、上記凹部６及び凸部５を利用して互いに嵌合させて粘着材９を介して積み上げればよい。以下の他の例も同様である。
【００３１】
上述の壁面組立システムおよび壁面組立方法によれば、ブロック体２の積重ね連結という簡単な作業によって建物の構造壁を組み立てることができ、しかも上下段のブロック体２を積み重ね嵌合して水平方向におけるずれを防止するとともに、全体が補強芯材８によって支持されるとともに、補強芯材８の上端にパッキン１１を介してナット１２を締め付けてブロック体２全体を固定する構成であるから、ブロック体２は締め付け力に基づく上からの押圧力によって一体に結合されて壁面の倒れを防止することができる。したがって、十分な壁面強度を確保することができる。
【００３２】
なお、ブロック体２同士は粘着材９による結合にすぎないから、互いに剥がして分離することができるので、上記ナット１２を外し、ブロック体２を剥がして再度積み重ねてレイアウトを変更したり、分解したりすることにより全体をコンパクトにすることができ、再利用や廃棄処分も楽に行なうことができる。
【００３３】
また、ベース部材１とブロック体２の凹凸構造は上述の例に限定されない。例えば、図９に示されるように、ベース部材１に円形状の凸部５が形成され、最下段のブロック体２の上下面には上記凹部６に嵌まり合う形状の凹部６が形成され、その上段のブロック体２の上下面には、上記凸部５に嵌まり合う凸部５が形成され、以下順次に格段のブロック体２の上下面に凸部５と凹部６が交互に形成される構成であってもよい。
【００３４】
さらに、上記ブロック体２を貫通孔７のないブロック体２と組み合わせて積み重ね使用することも可能である。
【実施例２】
【００３５】
図１０は、本発明に係る壁面組立システムとその組立方法を示す他の実施例であり、本システムはベース部材１とブロック体２と上下のブロック体２を連結する複数のジョイント部材３とを基本素材として構成されている。
【００３６】
ベース部材１とブロック体２は基本的には上述の例と同じであるが、図１１のようにベース部材１の上面には凸部５が形成され、またブロック体２の上下面には凹部６が形成されている。
【００３７】
ジョイント部材３は薄板状で、ベース部材１とブロック体２又はブロック体２間に介装される部材である。そして、ジョイント部材３の上下面には、ブロック体２に形成されている凹部６と嵌まり合う凸部５と、積み重ね状態で補強芯材８を挿通できる貫通孔７とが形成されている。ブロック体２の上下面に対応する大きさとして共通化すればよい。ブロック体２の横断面の大きさにある程度対応させてモジュール化してもよいが、厚みは大きさにかかわらず均一にするのがよい。
【００３８】
なお、ジョイント部材３は他の部材を支持する関係からアルミニウム等の金属材が好適である。
【００３９】
上記基本素材からなる組立システムによって建物の外壁を組み立てるときは、まず上記基本素材の中から所要のベース部材１とブロック体２とジョイント部材３を選択する。そして、図１０に示されるように、設置地面や躯体基礎や床面などの基礎材４上に補強芯材８を立設する。補強芯材８としては通常は鉄筋を選択すればよく、その先端にはネジ部１０が形成されている。そして、補強芯材８に上記基本素材の中から選択したベース部材１とジョイント部材３とブロック体２とを順次に挿通して積み重ねていく。このとき、最下段のベース部材１の凸部５とその上のブロック体２の下面の凹部６とが嵌まり合い、下段のブロック体２の上面の凹部６とその上段のジョイント部材３の凸部５とが嵌まり合う。また、ジョイント部材３の上面の凸部５とその上段のブロック体２の下面の凹部６とが嵌まり合う。このように、上下段のブロック体２とその間のジョイント部材３は、凹部６と凸部５の嵌合により自動的に位置決めされるため、ブロック体２とジョイント部材３の積層によって構成された壁面は面一となり、水平方向に位置ずれが生じることはない。最下段のベース部材１とその上のブロック体２との間および上下段のブロック体２とその間のジョイント部材３には、それぞれ粘着材９を介装し、上下の段のブロック体２の結合をより強固にするのが好ましい。粘着材９はジョイント部材３の上下面に層成しておけばよい。このように多数のブロック体２を積み上げた後、最後に、図１２のように補強芯材８の上端にパッキンを通し、その上からナット１２を締め付けて全体を固定すればよい。
【００４０】
上述の壁面組立システムおよび壁面組立方法によれば、特に、ベース部材１とブロック体２および上下のブロック体２間にジョイント部材３を介装する構成であり、ジョイント部材３は薄肉であるが強度の高い金属材によって形成することができるので、その補強効果により壁全体の強度を上げることができる。
【００４１】
なお、ジョイント部材３の凹部、凸部はブロック体２の凹部６と凸部５に対応して決まるもので、例えば、上下両面に凸部を有するブロック体に対しては、ジョイント部材３に凹部（孔を含む）を形成すればよい。
【実施例３】
【００４２】
図１３は、本発明に係る壁面組立システムとその組立方法を示すさらに他の実施例であり、本システムはベース部材１とブロック体２と上下のブロック体２を連結する複数のジョイント部材３とを基本素材として構成されている。
【００４３】
ベース部材１とブロック体２とジョイント部材３は上述の例と、凹部６と凸部５に代えて貫通孔７のみを形成した点において異なる。
【００４４】
上記基本素材からなる組立システムによって建物の外壁を組み立てるときは、まず上記基本素材の中から所要のベース部材１とブロック体２とジョイント部材３を選択する。そして、設置地面や躯体基礎や床面などの基礎材４上に補強芯材８を立設する。補強芯材８としては通常は鉄筋を選択すればよく、その先端にはネジ部１０が形成されている。また、補強芯材８間の間隔はブロック体２に設けられた貫通孔７の間隔の整数倍とする。そして、補強芯材８に上記基本素材の中から選択したベース部材１とジョイント部材３とブロック体２とを順次に挿通して積み重ねていく。各段のブロック体２はそれぞれ貫通孔７に補強芯材８を挿通することにより、自動的に位置決めされるため、ブロック体２とジョイント部材３の積層によって構成された壁面は面一となり、水平方向に位置ずれが生じることはない。最下段のベース部材１とその上のブロック体２との間および上下段のブロック体２とその間のジョイント部材３には、それぞれ粘着材を介装し、上下の段のブロック体２の結合をより強固にするのが好ましい。粘着材はジョイント部材３の上下面に層成しておけばよい。このように多数のブロック体２を積み上げた後、最後に、図３等と同じ要領で補強芯材８の上端にパッキンを通し、その上からナットを締め付けて全体を固定すればよい。
【００４５】
上述の壁面組立システムおよび壁面組立方法によれば、上下段のブロック体２には補強芯材８が挿通され、また、補強芯材８の上端にパッキンを介してナットを締め付けてブロック体２全体を固定する構成であるから、ブロック体２は締め付け力に基づく上からの押圧力によって一体に結合され、十分に強固に固定される。
【実施例４】
【００４６】
図１４（ａ）は、ジョイント部材３（とベース部材１）に溝状の保持部１７が形成されている場合の例で、ブロック体２の積み重ね要領は上述の例と同じであるが、この例によれば、同図（ｂ）に示されるように、保持部付きのベース部材１とともに、同じ段に保持部付きジョイント部材３を配置したときに、水平方向に連続した保持部１７が形成されるから、上記保持部１７に外壁サイディングなどの仕上げ材１８ａを嵌合保持させて外装または内装の仕上げを施すことができる。そのほか、図１５のように、保持部１７を利用して壁面の一部に外装用のレンガブロック１８ｂなどを取り付けてもよい。外壁サイディングなどを支えるジョイント部材３はアルミニウム等の金属材が好適である。
【００４７】
なお、室内壁の場合は、保持部に保持されるパネルを半透明とし、その内側に照明器具を配置すれば、バックライト付きインテリアとなる。
【００４８】
ジョイント部材３の保持部１７は必ずしも上下に開口したものでなく、上又は下方に開口したものであってもよい。また、図１６に示されるように、保持部１７がジョイント部材３（とベース部材１）の両端に形成されている構成であってもよい。また、保持部は溝状に代えて、一端に物を掛けられるフック（図示せず）を形成した形状にすることもできる。
【図面の簡単な説明】
【００４９】
【図１】本発明に係る壁面組立システムとその組立方法の一例を示す概要図である。
【図２】基本素材となるベース部材とブロック体の側面図である。
【図３】壁面の組立態様を示す斜視図である。
【図４】外壁の組立完成図である。
【図５】壁面の縦目地の処理態様説明図である。
【図６】壁面に外壁サイディングを張設した状態の斜視図である。
【図７】壁面に開口部を形成した状態の斜視図である。
【図８】内壁の組立完成図である。
【図９】ベース部材とブロック体の他の例の側面図である。
【図１０】本発明に係る壁面組立システムとその組立方法の他の例を示す概要図である。
【図１１】基本素材となるベース部材とブロック体の側面図である。
【図１２】外壁の組立完成図である。
【図１３】本発明に係る壁面組立システムとその組立方法の別の例を示す概要図である。
【図１４】（ａ）（ｂ）は特殊なジョイント部材とその使用例を示す側面図である。
【図１５】上記ジョイント部材による他の使用例である。
【図１６】特殊なジョイント部材の他の例の側面図である。
【符号の説明】
【００５０】
１    ベース部材
２    ブロック体
３    ジョイント部材
４    基礎材
７    貫通孔
８    補強芯材
【図１】
2006009324.tif 000003
【図２】
2006009324.tif 000004
【図３】
2006009324.tif 000005
【図４】
2006009324.tif 000006
【図５】
2006009324.tif 000007
【図６】
2006009324.tif 000008
【図７】
2006009324.tif 000009
【図８】
2006009324.tif 000010
【図９】
2006009324.tif 000011
【図１０】
2006009324.tif 000012
【図１１】
2006009324.tif 000013
【図１２】
2006009324.tif 000014
【図１３】
2006009324.tif 000015
【図１４】
2006009324.tif 000016
【図１５】
2006009324.tif 000017
【図１６】
2006009324.tif 000018